(57)【要約】【課題】同一の輸送容器に大きさの異なる２種類の有底上面開口容器を収容可能にする。【解決手段】側壁２，３の内面に設けた側壁傾斜支持面Ａ，Ｂと、側壁２，３に直交する方向から見て側壁傾斜支持面Ａ，Ｂと重なる、仕切壁７に設けた仕切壁傾斜支持面Ｃ，Ｄとを備える。側壁傾斜支持面Ａ，Ｂを、逆方向に傾斜する第１側壁傾斜支持面Ａ１，Ｂ１及び第２側壁傾斜支持面Ａ２，Ｂ２とし、仕切壁傾斜支持面Ｃ，Ｄを、逆方向に傾斜する第１仕切壁傾斜支持面Ｃ１，Ｄ１及び第２仕切壁傾斜支持面Ｃ２，Ｄ２とした。第１側壁傾斜支持面Ａ１及び第１仕切壁傾斜支持面Ｃ１、並びに第１傾斜支持面Ｂ１及び第１仕切壁傾斜支持面Ｄ１とで容器Ｅ１のフランジ部を支持し、第２側壁傾斜支持面Ａ２及び第２仕切壁傾斜支持面Ｃ２、並びに第２傾斜支持面Ｂ２及び第２仕切壁傾斜支持面Ｄ２とで容器Ｅ２のフランジ部を支持する。【選択図】図７
2018177238.tif 000002
【特許請求の範囲】
【請求項１】
上面が開口した矩形状の箱体を成し、外周縁にフランジ部を有する有底上面開口容器に果菜類を収容した状態で、前記有底上面開口容器の複数を収容して輸送する果菜類輸送容器であって、
対向する側壁の内面に設けた段部である、水平面から傾斜した側壁傾斜支持面と、
前記側壁傾斜支持面を有する前記側壁に直交する方向から見て前記側壁傾斜支持面と重なる、前記側壁の内面に対向する側面を有する仕切壁に設けた仕切壁傾斜支持面と
からなる、
傾斜角度が等しい一対の前記側壁傾斜支持面及び前記仕切壁傾斜支持面により、前記有底上面開口容器のフランジ部を支持し、
前記有底上面開口容器を傾斜させて静止させた状態を保持して輸送することを特徴とする、
果菜類輸送容器。
【請求項２】
前記有底上面開口容器のフランジ部を支持する前記側壁傾斜支持面及び前記仕切壁傾斜支持面を、傾斜角度を変えて複数種類設けることにより、
大きさの異なる複数種類の前記有底上面開口容器を収容可能としてなる、
請求項１記載の果菜類輸送容器。
【請求項３】
前記側壁傾斜支持面を、水平面からの傾斜が逆方向となる第１側壁傾斜支持面及び第２側壁傾斜支持面とし、
前記仕切壁傾斜支持面を、前記側壁傾斜支持面を有する前記側壁に直交する方向から見て、前記第１側壁傾斜支持面と重なる第１仕切壁傾斜支持面、及び前記第２側壁切壁傾斜支持面と重なる第２仕切壁傾斜支持面とし、
前記第１側壁傾斜支持面及び前記第１仕切壁傾斜支持面とで前記有底上面開口容器のフランジ部を支持する場合と、前記第２側壁傾斜支持面及び前記第２仕切壁傾斜支持面とで前記有底上面開口容器のフランジ部を支持する場合とで、
大きさの異なる２種類の前記有底上面開口容器を収容可能としてなる、
請求項１記載の果菜類輸送容器。
【請求項４】
発泡合成樹脂製である、
請求項１〜３の何れか１項に記載の果菜類輸送容器。
【発明の詳細な説明】
【技術分野】
【０００１】
本発明は、上面が開口した矩形状の箱体を成し、外周縁にフランジ部を有する有底上面開口容器に果菜類を収容した状態で、前記有底上面開口容器の複数を収容して輸送する輸送容器に関する。
【背景技術】
【０００２】
イチゴ、イチジク、桃等の果菜類は、単体で市販されている外周縁にフランジ部を有する有底上面開口容器（特許文献１：パックＰ、特許文献２：パック、特許文献３：いちごパック、特許文献４：イチゴのパック詰めトレーＴ、特許文献５：ソフトパックＣ、特許文献６：いちごパック）に詰めた状態（以下、この状態の前記有底上面開口容器及び前記果菜類を「パック詰め果菜類」という）で、それらの複数を輸送容器内に水平に収容して輸送するのが一般的である。
【０００３】
ここで、特許文献１及び２は、収容する複数のパック詰め果菜類を仕切る仕切部材（例えば、特許文献１の仕切体２）を備えたダンボール製の輸送容器である。
また、特許文献３は、プラスチック製の運搬用パレットであり、それによりパック詰め果菜類を仕切った状態で、プラスチック製の輸送容器（折り畳み可能なプラスチックコンテナ）に収容して輸送する。
さらに、特許文献４ないし６は、収容する複数のパック詰め果菜類を仕切る仕切部材（他例えば、特許文献５の仕切壁Ｆ）を備えた発泡合成樹脂製の輸送容器である。
【先行技術文献】
【特許文献】
【０００４】
【特許文献１】特開２００６−０８９０６２号公報
【特許文献２】意匠登録第１４９２５３０号公報
【特許文献３】意匠登録第１１３７０６０号公報
【特許文献４】特開２０１５−０４００５０号公報
【特許文献５】特開２０１６−１９６３１９号公報
【特許文献６】意匠登録第１５６９５６０号公報
【発明の概要】
【発明が解決しようとする課題】
【０００５】
果菜類を詰める、外周縁にフランジ部を有する有底上面開口容器の大きさ（サイズ）は、産地で異なるとともに、各産地において大きさの異なる複数種類の前記有底上面開口容器が使用される。
ダンボール製、プラスチック製及び発泡合成樹脂製の何れの輸送容器においても、同じ輸送容器に大きさの異なる前記有底上面開口容器を収容することはできず、前記有底上面開口容器の大きさ毎に異なる輸送容器を使用する必要がある。
ダンボール製、プラスチック製及び発泡合成樹脂製の何れの輸送容器においても、同じ輸送容器に大きさの異なる前記有底上面開口容器を収容することはできず、前記有底上面開口容器の大きさ毎に異なる輸送容器を使用する必要があり、大きさの異なる輸送容器毎に製造し、運搬する手間が発生すると共に、これらの保管スパースの確保、管理などの手間が生ずる。
その上、従来の果菜類輸送容器において、大きさの異なる前記有底上面開口容器を収容する輸送容器を、前記有底上面開口容器の大きさ毎に設計する場合、外形の平面寸法を同じにすると、前記有底上面開口容器の大きさによっては輸送容器の収容スペースに無駄が生じる場合がある。
【０００６】
また、特許文献１又は２のようなダンボール製の輸送容器、又は特許文献３のようなプラスチック製の運搬用パレットを収容したプラスチック製の輸送容器から、特許文献４ないし６のような発泡合成樹脂製の輸送容器に切り替える場合、ダンボール製の輸送容器、又はプラスチック製の輸送容器と同じ外形の平面寸法で発泡合成樹脂製の輸送容器を製造すると、発泡合成樹脂製のものは、肉厚が例えば１５ｍｍ程度と厚くなることから、収容スペースが縮小する。よって、ダンボール製又はプラスチック製の輸送容器と同じ平面形寸法の発泡合成樹脂製の輸送容器では、ダンボール製又はプラスチック製の輸送容器と同量の前記有底上面開口容器を収容できないという不都合がある。
【０００７】
上述の背景に鑑み、本発明が解決しようとする課題は、
（１）外形の平面寸法を同じにして、大きさの異なる前記有底上面開口容器を収容する複数の容器を、前記有底上面開口容器の大きさ毎に設計する場合における、輸送容器の収容スペースの無駄を抑制すること、
（２）ダンボール製又はプラスチック製の輸送容器と外形の平面寸法が同じ発泡合成樹脂製の輸送容器でも、ダンボール製又はプラスチック製の輸送容器と同量の前記有底上面開口容器を収容可能にすること、
（３）同一の輸送容器に大きさの異なる複数種類の前記有底上面開口容器を収容可能にすること、
である。
【課題を解決するための手段】
【０００８】
本発明に係る果菜類輸送容器は、前記課題解決のために、上面が開口した矩形状の箱体を成し、外周縁にフランジ部を有する有底上面開口容器に果菜類を収容した状態で、前記有底上面開口容器の複数を収容して輸送する果菜類輸送容器であって、
対向する側壁の内面に設けた段部である、水平面から傾斜した側壁傾斜支持面と、
前記側壁傾斜支持面を有する前記側壁に直交する方向から見て前記側壁傾斜支持面と重なる、前記側壁の内面に対向する側面を有する仕切壁に設けた仕切壁傾斜支持面と
からなる、
傾斜角度が等しい一対の前記側壁傾斜支持面及び前記仕切壁傾斜支持面により、前記有底上面開口容器のフランジ部を支持し、
前記有底上面開口容器を傾斜させて静止させた状態を保持して輸送することを特徴とする（請求項１）。
【０００９】
このような構成によれば、側壁傾斜支持面及び仕切壁傾斜支持面で有底上面開口容器のフランジ部を支持するので、側壁傾斜支持面及び仕切壁傾斜支持面の傾斜角度を変えることにより、有底上面開口容器の平面投影面積を変えることができる。
よって、外形の平面寸法を同じにして、大きさの異なる有底上面開口容器を収容する複数の容器を、有底上面開口容器の大きさ毎に設計する場合において、前記傾斜角度を変えながら輸送容器の収容スペースを確保すると共に無駄なスペースを抑制するように設計できる。
その上、例えば、ダンボール製又はプラスチック製の輸送容器と外形の平面寸法を同じにする条件で、ダンボール製又はプラスチック製の輸送容器から発泡合成樹脂製の輸送容器に切り替える場合であっても、側壁傾斜支持面及び仕切壁傾斜支持面でフランジ部を支持された有底上面開口容器は傾斜することから、有底上面開口容器の平面投影面積を小さくできるので、ダンボール製又はプラスチック製の輸送容器と同量の有底上面開口容器を収容するように設計できる。
【００１０】
ここで、前記有底上面開口容器のフランジ部を支持する前記側壁傾斜支持面及び前記仕切壁傾斜支持面を、傾斜角度を変えて複数種類設けることにより、
大きさの異なる複数種類の前記有底上面開口容器を収容可能としてなるのが好ましい実施態様である（請求項２）。
【００１１】
このような構成によれば、傾斜角度を変えて複数種類設けた側壁傾斜支持面及び仕切壁傾斜支持面により、大きさの異なる複数種類の有底上面開口容器を収容できる。よって、有底上面開口容器の大きさ毎に異なる輸送容器を使用することなく、同一の輸送容器で大きさの異なる複数種類の有底上面開口容器を収容して輸送できる。
【００１２】
また、前記側壁傾斜支持面を、水平面からの傾斜が逆方向となる第１側壁傾斜支持面及び第２側壁傾斜支持面とし、
前記仕切壁傾斜支持面を、前記側壁傾斜支持面を有する前記側壁に直交する方向から見て、前記第１側壁傾斜支持面と重なる第１仕切壁傾斜支持面、及び前記第２側壁切壁傾斜支持面と重なる第２仕切壁傾斜支持面とし、
前記第１側壁傾斜支持面及び前記第１仕切壁傾斜支持面とで前記有底上面開口容器のフランジ部を支持する場合と、前記第２側壁傾斜支持面及び前記第２仕切壁傾斜支持面とで前記有底上面開口容器のフランジ部を支持する場合とで、
大きさの異なる２種類の前記有底上面開口容器を収容可能としてなるのも好ましい実施態様である（請求項３）。
【００１３】
このような構成によれば、第１側壁傾斜支持面及び第１仕切壁傾斜支持面とで有底上面開口容器のフランジ部を支持する場合と、第２側壁傾斜支持面及び第２仕切壁傾斜支持面とで有底上面開口容器のフランジ部を支持する場合とで、大きさの異なる２種類の有底上面開口容器を収容できる。よって、有底上面開口容器の大きさ毎に異なる輸送容器を使用することなく、同一の輸送容器で大きさの異なる２種類の有底上面開口容器を収容して輸送できる。
【００１４】
さらに、発泡合成樹脂製であるのが一層好ましい実施態様である（請求項４）。
【００１５】
このような構成によれば、側壁傾斜支持面及び仕切壁傾斜支持面を備える輸送容器を、例えば型内発泡成形により容易かつ確実に成形できる。その上、発泡ポリスチレン系樹脂、発泡ポリエチレン系樹脂、発泡ポリプロピレン系樹脂等の発泡ポリオレフィン系樹脂、ポリスチレン変性発泡ポリエチレン等のポリスチレン変性発泡ポリオレフィン系樹脂、硬質発泡ウレタン系樹脂等で成形することにより、軽量で断熱性に優れるので、果菜類輸送容器として好適な実施態様となる。特に発泡ポリスチレン製にするのが、コスト面から一層好ましい実施態様である。
【発明の効果】
【００１６】
以上のように、本発明に係る果菜類輸送容器によれば、主に以下に示すような効果を奏する。
（１）外形の平面寸法を同じにして、大きさの異なる有底上面開口容器を収容する複数の容器を、有底上面開口容器の大きさ毎に設計する場合において、前記傾斜角度を変えながら輸送容器の収容スペースを確保すると共に無駄なスペースを抑制するように設計できる。
（２）ダンボール製又はプラスチック製の輸送容器と外形の平面寸法を同じにする条件で、ダンボール製又はプラスチック製の輸送容器から発泡合成樹脂製の輸送容器に切り替える場合であっても、ダンボール製又はプラスチック製の輸送容器と同量の有底上面開口容器を収容するように設計できる。
（３）有底上面開口容器のフランジ部を支持する側壁傾斜支持面及び仕切壁傾斜支持面を、傾斜角度を変えて複数種類設けた果菜類輸送容器では、有底上面開口容器の大きさ毎に異なる輸送容器を使用することなく、同一の輸送容器で大きさの異なる複数種類の有底上面開口容器を収容して輸送できる。
【図面の簡単な説明】
【００１７】
【図１】果菜類輸送容器の斜視図である。
【図２】図１に対して鉛直軸まわりに１８０°視点を変えて示した果菜類輸送容器の斜視図である。
【図３】（ａ）は果菜類輸送容器の縦断面斜視図、（ｂ）は果菜類輸送容器の縦断面正面図（一方の長辺側側壁の内面に向かって見た図）である。
【図４】（ａ）は図３（ａ）に対して鉛直軸まわりに１８０°視点を変えて示した果菜類輸送容器の縦断面斜視図、（ｂ）は果菜類輸送容器の縦断面背面図（他方の長辺側側壁の内面に向かって見た図）である。
【図５】果菜類輸送容器の平面図である。
【図６】有底上面開口容器の例を示す斜視図であり、（ａ）は小型のものを、（ｂ）は大型のものを示している。
【図７】平面図であり、（ａ）は果菜類輸送容器に小型の有底上面開口容器を収容している状態の説明図、（ｂ）は果菜類輸送容器に大型の有底上面開口容器を収容している状態の説明図である。
【図８】果菜類輸送容器に小型の有底上面開口容器を収容している状態を示す斜視図である。
【図９】図８に対して鉛直軸まわりに１８０°視点を変えて示した斜視図である。
【図１０】果菜類輸送容器に大型の有底上面開口容器を収容している状態を示す斜視図である。
【図１１】図１０に対して鉛直軸まわりに１８０°視点を変えて示した斜視図である。
【発明を実施するための形態】
【００１８】
次に本発明の実施の形態を添付図面に基づき詳細に説明する。
本明細書において、果菜類輸送容器を水平面に置いた状態を基準として上下方向を定義する。また、矩形状の箱体を成す果菜類輸送容器１の長辺方向（長辺側側壁２，３の長手方向）を前後方向、果菜類輸送容器１の短辺方向（短辺側側壁４，５の長手方向）を左右方向とする。
なお、添付図面に示す外周縁にフランジ部Ｆ１，Ｆ２を有する有底上面開口容器Ｅ１，Ｅ２には、実際には果菜類が収容されるが、図面の見やすさ等のために有底上面開口容器Ｅ１，Ｅ２のみを記載している。
【００１９】
＜果菜類輸送容器＞
図１及び図２の斜視図に示すように、本発明の実施の形態に係る果菜類輸送容器１は、上面開口１Ａを有する矩形状の箱体を成し、図８〜図１１の斜視図に示すように、外周縁にフランジ部を有する有底上面開口容器Ｅ１，Ｅ１，…又はＥ２，Ｅ２，…に図示しないに果菜類を収容した状態で、有底上面開口容器Ｅ１，Ｅ１，…又はＥ２，Ｅ２，…を収容して輸送するものである。
果菜類輸送容器１は、対向する長辺側側壁２，３、及び対向する短辺側側壁４，５、底板６、並びに、長辺側側壁２の内面２Ａに対向する側面７Ａ、及び長辺側側壁３の内面３Ａに対向する側面７Ｂを有する仕切壁７を備える。
また、果菜類輸送容器１は、側壁２，３，４，５の下部に、通気孔である側壁下部貫通穴８，８，…を備えるとともに、仕切壁７の下部に、仕切壁下部底板貫通穴９，９を備える。
【００２０】
図１及び図２の斜視図に示すように、果菜類輸送容器１は、対向する長辺側側壁２，３の内面２Ａ，３Ａに設けた段部である、水平面から傾斜した側壁傾斜支持面Ａ，Ｂを有する。
また、仕切壁７は、側面７Ａに、左右方向（長辺側側壁２，３に直交する方向）から見て側壁２の側壁傾斜支持面Ａと重なる、仕切壁傾斜支持面Ｃを有し、側面７Ｂに、左右方向から見て側壁３の側壁傾斜支持面Ｂと重なる、仕切壁傾斜支持面Ｄを有する。
【００２１】
果菜類輸送容器１は、軽量であるとともに断熱性に優れた、発泡ポリスチレン系樹脂、発泡ポリエチレン系樹脂、発泡ポリプロピレン系樹脂等の発泡ポリオレフィン系樹脂、ポリスチレン変性発泡ポリエチレン等のポリスチレン変性発泡ポリオレフィン系樹脂、硬質発泡ウレタン系樹脂等の発泡合成樹脂製であり、主にコスト面から発泡ポリスチレンが好ましい。
果菜類輸送容器１を発泡合成樹脂製にすることにより、側壁傾斜支持面Ａ，Ｂ及び仕切壁傾斜支持面Ｃ，Ｄを備える輸送容器１を、例えば型内発泡成形により容易かつ確実に成形できる。
【００２２】
＜側壁傾斜支持面、及び仕切壁傾斜支持面の構成例＞
図３（ａ）の縦断面斜視図、及び図３（ｂ）の縦断面正面図に示すように、側壁２の内面２Ａの側壁傾斜支持面Ａは、側壁４から側壁５へ向かう方向に行くにしたがって下降するように傾斜する第１側壁傾斜支持面Ａ１，Ａ１，…、及び側壁４から側壁５へ向かう方向に行くにしたがって上昇するように傾斜する第２側壁傾斜支持面Ａ２，Ａ２，…からなる。
図４（ａ）の縦断面斜視図、及び図４（ｂ）の縦断面背面図に示すように、側壁３の内面３Ａの側壁傾斜支持面Ｂは、側壁４から側壁５へ向かう方向に行くにしたがって下降するように傾斜する第１側壁傾斜支持面Ｂ１，Ｂ１，…、及び側壁４から側壁５へ向かう方向に行くにしたがって上昇するように傾斜する第２側壁傾斜支持面Ｂ２，Ｂ２，…からなる。
【００２３】
図２の斜視図に示すように、仕切壁７の側面７Ａの仕切壁傾斜支持面Ｃは、側壁４から側壁５へ向かう方向に行くにしたがって下降するように傾斜する第１仕切壁傾斜支持面Ｃ１，Ｃ１，…、及び側壁４から側壁５へ向かう方向に行くにしたがって上昇するように傾斜する第２仕切壁傾斜支持面Ｃ２，Ｃ２，…からなる。
図１の斜視図に示すように、仕切壁７の側面７Ｂの仕切壁傾斜支持面Ｄは、側壁４から側壁５へ向かう方向に行くにしたがって下降するように傾斜する第１仕切壁傾斜支持面Ｄ１，Ｄ１，…、及び側壁４から側壁５へ向かう方向に行くにしたがって上昇するように傾斜する第２仕切壁傾斜支持面Ｄ２，Ｄ２，…からなる。
以上のとおり、第１側壁傾斜支持面Ａ１，Ｂ１と第２側壁傾斜支持面Ａ２，Ｂ２とは、水平面からの傾斜が逆方向であり、同様に、第１仕切壁傾斜支持面Ｃ１，Ｄ１と第２傾斜支持面Ｃ２，Ｄ２とは水平面からの傾斜が逆方向である。
【００２４】
図３（ａ）及び図３（ｂ）に示す第１側壁傾斜支持面Ａ１，Ａ１，…と、図２に示す第１仕切壁傾斜支持面Ｃ１，Ｃ１，…とは、左右方向から見て重なる位置に、図５の平面図に示すように左右方向に所定距離離間させて形成される。
また、図３（ａ）及び図３（ｂ）に示す第２側壁傾斜支持面Ａ２，Ａ２，…と、図２に示す第２仕切壁傾斜支持面Ｃ２，Ｃ２，…とは、左右方向から見て重なる位置に、図５の平面図に示すように左右方向に所定距離離間させて形成される。
【００２５】
図４（ａ）及び図４（ｂ）に示す第１側壁傾斜支持面Ｂ１，Ｂ１，…と、図１に示す第１仕切壁傾斜支持面Ｄ１，Ｄ１，…とは、左右方向から見て重なる位置に、図５の平面図に示すように左右方向に所定距離離間させて形成される。
また、図４（ａ）及び図４（ｂ）に示す第２側壁傾斜支持面Ｂ２，Ｂ２，…と、図１に示す第２仕切壁傾斜支持面Ｄ２，Ｄ２，…とは、左右方向から見て重なる位置に、図５の平面図に示すように左右方向に所定距離離間させて形成される。
【００２６】
＜外周縁にフランジ部を有する有底上面開口容器の例＞
本発明の実施の形態に係る果菜類輸送容器１に収容可能な有底上面開口容器は、図６（ａ）の斜視図に示す小型の有底上面開口容器Ｅ１、及び図６（ｂ）の斜視図に示す大型の有底上面開口容器Ｅ２の２種類である。
有底上面開口容器Ｅ１は、その上部外周縁にフランジ部Ｆ１を有し、フランジ部Ｆ１は、長辺フランジ部Ｆ１Ａ，Ｆ１Ａ、及び短辺フランジ部Ｆ１Ｂ，Ｆ１Ｂからなる。
また、有底上面開口容器Ｅ２は、その上部外周縁にフランジ部Ｆ２を有し、フランジ部Ｆ２は、長辺フランジ部Ｆ２Ａ，Ｆ２Ａ、及び短辺フランジ部Ｆ２Ｂ，Ｆ２Ｂからなる。
これらのような有底上面開口容器Ｅ１，Ｅ２は、高さが例えば４０ｍｍ程度であるとともに、上部のフランジ部Ｆ１，Ｆ２の平面寸法が大きく、容器部分は下方行くにしたがって平面寸法が漸減する形状であるので、長辺方向に平行な水平軸又は短辺方向に平行な水平軸まわりに傾斜させると、平面投影面積が小さくなる。
【００２７】
＜果菜類輸送容器に有底上面開口容器を収容している状態の説明＞
図７（ａ）の平面図、並びに図８及び図９の斜視図に示すように、果菜類輸送容器１内には、小型の有底上面開口容器Ｅ１，Ｅ１，…を１０個収容できる。
すなわち、側壁２側の５個の有底上面開口容器Ｅ１，Ｅ１，…は、短辺フランジ部Ｆ１Ｂ，Ｆ１Ｂを第１側壁傾斜支持面Ａ１及び第１仕切壁傾斜支持面Ｃ１で支持し、側壁３側の５個の有底上面開口容器Ｅ１，Ｅ１，…は、短辺フランジ部Ｆ１Ｂ，Ｆ１Ｂを第１側壁傾斜支持面Ｂ１及び第１仕切壁傾斜支持面Ｄ１で支持する。
このように傾斜角度が等しい一対の側壁傾斜支持面Ａ１及び仕切壁傾斜支持面Ｃ１、並びに傾斜角度が等しい一対の側壁傾斜支持面Ｂ１及び仕切壁傾斜支持面Ｄ１により、有底上面開口容器Ｅ１のフランジ部Ｆ１を支持し、有底上面開口容器Ｅ１を傾斜させて静止させた状態を保持して輸送する。
【００２８】
図７（ｂ）の平面図、並びに図１０及び図１１の斜視図に示すように、果菜類輸送容器１内には、大型の有底上面開口容器Ｅ２，Ｅ２，…を７個収容できる。
すなわち、側壁２側の４個の有底上面開口容器Ｅ２，Ｅ２，…は、短辺フランジ部Ｆ２Ｂ，Ｆ２Ｂを第２側壁傾斜支持面Ａ２及び第２仕切壁傾斜支持面Ｃ２で支持し、側壁３側の３個の有底上面開口容器Ｅ２，Ｅ２，…は、長辺フランジ部Ｆ２Ａ，Ｆ２Ａを第２側壁傾斜支持面Ｂ２及び第２仕切壁傾斜支持面Ｄ２で支持する。
このように傾斜角度が等しい一対の側壁傾斜支持面Ａ２及び仕切壁傾斜支持面Ｃ２、並びに傾斜角度が等しい一対の側壁傾斜支持面Ｂ２及び仕切壁傾斜支持面Ｄ２により、有底上面開口容器Ｅ２のフランジ部Ｆ２を支持し、有底上面開口容器Ｅ２を傾斜させて静止させた状態を保持して輸送する。
【００２９】
以上のような本発明の実施の形態に係る果菜類輸送容器１によれば、第１側壁傾斜支持面Ａ１及び第１仕切壁傾斜支持面Ｃ１、並びに第１側壁傾斜支持面Ｂ１及び第１仕切壁傾斜支持面Ｄ１とで有底上面開口容器Ｅ１のフランジ部Ｆ１を支持する場合と、第２側壁傾斜支持面Ａ２及び第２仕切壁傾斜支持面Ｃ２、並びに第２側壁傾斜支持面Ｂ２及び第２仕切壁傾斜支持面Ｄ２とで有底上面開口容器Ｅ２のフランジ部Ｆ２を支持する場合とで、大きさの異なる２種類の有底上面開口容器Ｅ１，Ｅ２を収容できる。よって、有底上面開口容器の大きさ毎に異なる輸送容器を使用することなく、同一の輸送容器で大きさの異なる２種類の有底上面開口容器Ｅ１，Ｅ２を収容して輸送できる。
【００３０】
以上の実施の形態においては、有底上面開口容器のフランジ部を支持する、傾斜角度が等しい一対の側壁傾斜支持面及び仕切壁傾斜支持面を、傾斜角度を変えて二種類設ける構成、すなわち第１側壁傾斜支持面及び第１仕切壁傾斜支持面、並びに第２側壁傾斜支持面及び第２仕切壁傾斜支持面を設ける構成を示したが、傾斜角度が等しい一対の側壁傾斜支持面及び仕切壁傾斜支持面を、傾斜角度を変えて三種類以上設ける構成としてもよい。
【００３１】
また、傾斜角度が等しい一対の側壁傾斜支持面及び仕切壁傾斜支持面を一種類のみとしてもよい。そのような構成により、側壁傾斜支持面及び仕切壁傾斜支持面の傾斜角度を変えることにより、有底上面開口容器の平面投影面積を変えることができるので、外形の平面寸法を同じにして、大きさの異なる有底上面開口容器を収容する複数の容器を、有底上面開口容器の大きさ毎に設計する場合において、前記傾斜角度を変えながら輸送容器の収容スペースを確保すると共に無駄なスペースを抑制するように設計できる。
その上、ダンボール製又はプラスチック製の輸送容器と外形の平面寸法を同じにする条件で、ダンボール製又はプラスチック製の輸送容器から発泡合成樹脂製の輸送容器に切り替える場合であっても、側壁傾斜支持面及び仕切壁傾斜支持面でフランジ部を支持された有底上面開口容器は傾斜することから、有底上面開口容器の平面投影面積を小さくできるので、ダンボール製又はプラスチック製の輸送容器と同量の有底上面開口容器を収容するように設計できる。なお、有底上面開口容器の底が輸送容器の底板と接触せず、宙吊り状態に設計できるので、例え、有底上面開口容器が傾斜したとしても、パック詰め果菜類が輸送時の振動などで損傷し難い。それでも損傷が危惧される場合には、傾斜の角度をゆるくしたり、より損傷し難い果菜類を扱うなり種々の対応が可能である。
【００３２】
さらに、以上の実施の形態の説明では、果菜類輸送容器が発泡合成樹脂製である例を示したが、果菜類輸送容器は非発泡合成樹脂製であってもよい。
【符号の説明】
【００３３】
１  果菜類輸送容器
１Ａ  上面開口
２，３  長辺側側壁
２Ａ，３Ａ  内面
４，５  短辺側側壁
６  底板
７  仕切壁
７Ａ，７Ｂ  側面
８  側壁下部貫通穴
９  仕切壁下部底板貫通穴
Ａ，Ｂ  側壁傾斜支持面
Ａ１，Ｂ１  第１側壁傾斜支持面
Ａ２，Ｂ２  第２側壁傾斜支持面
Ｃ，Ｄ  仕切壁傾斜支持面
Ｃ１，Ｄ１  第１仕切壁傾斜支持面
Ｃ２，Ｄ２  第２仕切壁傾斜支持面
Ｅ１，Ｅ２  有底上面開口容器
Ｆ１，Ｆ２  フランジ部
Ｆ１Ａ，Ｆ２Ａ  長辺フランジ部
Ｆ１Ｂ，Ｆ２Ｂ  短辺フランジ部
【図１】
2018177238.tif 000003
【図２】
2018177238.tif 000004
【図３】
2018177238.tif 000005
【図４】
2018177238.tif 000006
【図５】
2018177238.tif 000007
【図６】
2018177238.tif 000008
【図７】
2018177238.tif 000009
【図８】
2018177238.tif 000010
【図９】
2018177238.tif 000011
【図１０】
2018177238.tif 000012
【図１１】
2018177238.tif 000013